(57)【特許請求の範囲】
【請求項１】
コード分割多重データ信号の同相成分及び直交成分を入力し、その何れか一方を選択して出力する同相・直交成分選択部と、
前記同相・直交成分選択部の出力信号又はその出力信号を反転して１を加算した信号の何れか一方を選択して出力する反転選択部と、
第１の逆拡散コード及び第２の逆拡散コード並びに該逆拡散コードの２倍のレートで論理値が交互に反転する交互反転信号から、同相・直交成分選択制御信号及び反転選択制御信号を生成する手段と、
を備え、前記同相・直交成分選択部の選択出力を前記同相・直交成分選択制御信号により切替え、前記反転選択部の選択出力を前記反転選択制御信号により切替えることを特徴とする逆拡散及び同相・直交成分多重処理装置。
【請求項２】
第１の逆拡散コード及び第２の逆拡散コード並びに該逆拡散コードの２倍のレートで論理値が交互に反転する交互反転信号から、同相・直交成分選択制御信号及び反転選択制御信号を生成する過程と、
コード分割多重データ信号の同相成分及び直交成分を入力し、その何れか一方を選択して出力する同相・直交成分選択部に、前記同相・直交成分選択制御信号を加えて選択出力を切り替え、
前記同相・直交成分選択部の出力信号又はその出力信号を反転して１を加算した信号の何れか一方を選択して出力する反転選択部に、前記反転選択制御信号を加えて選択出力を切替えることを特徴とする逆拡散及び同相・直交成分多重処理方法。
【発明の詳細な説明】
【技術分野】
【０００１】
本発明は、逆拡散及び同相・直交成分多重処理装置及び方法に関し、特に、コード分割多重接続（ＣＤＭＡ：Code Division Multiple Access）方式の移動通信システムの受信機に用いられるコード分割多重データ信号の逆拡散処理及び同相・直交成分多重処理に係るものである。
【背景技術】
【０００２】
図３にコード分割多重データ信号を逆拡散処理する従来の第１の構成例を示す。同図において、１はコード分割多重データ信号の同相成分（Ｉｃｈ）の逆拡散処理部であり、２はコード分割多重データ信号の直交成分（Ｑｃｈ）の逆拡散処理部である。また、３はコード分割多重データ信号の同相成分（Ｉｃｈ）の逆拡散結果（ＤＥＳＰＩ）を加算して送信信号を復元するための加算器等を含む後段処理部であり、４は直交成分（Ｑｃｈ）の逆拡散結果（ＤＥＳＰＱ）を加算して送信信号を復元するための加算器等を含む後段処理部である。なお、以下では同相成分（Ｉｃｈ）を単にＩ成分、直交成分（Ｑｃｈ）をＱ成分とも記す。
【０００３】
逆拡散処理部（Ｉｃｈ）１には、Ｉ成分のコード分割多重データ信号（ＩＤＡＴＡ）が入力され、該コード分割多重データ信号（ＩＤＡＴＡ）と、該コード分割多重データ信号（ＩＤＡＴＡ）を反転して１を加算した信号との何れか一方を選択して出力する反転選択部１１を備える。また、逆拡散処理部（Ｉｃｈ）１には、上記反転選択部１１から出力されるＩ成分の信号と、逆拡散処理部（Ｑｃｈ）２の同様の反転選択部２１から出力されるＱ成分の信号との何れか一方を選択して出力するＩＱ選択部１２を備える。
【０００４】
逆拡散処理部（Ｑｃｈ）２には、Ｑ成分のコード分割多重データ信号（ＱＤＡＴＡ）が入力され、該コード分割多重データ信号（ＱＤＡＴＡ）と、該コード分割多重データ信号（ＱＤＡＴＡ）を反転して１を加算した信号との何れか一方を選択して出力する反転選択部２１を備える。また、逆拡散処理部（Ｑｃｈ）２には、上記反転選択部２１から出力されるＱ成分の信号と、逆拡散処理部（Ｉｃｈ）１の同様の反転選択部１１から出力されるＩ成分の信号との何れか一方を選択して出力するＩＱ選択部２２を備える。
【０００５】
逆拡散処理部（Ｉｃｈ）１には、図３の下部の表２に示すように第１の逆拡散コード（ＰＲＩ＿ＣＯＤＥ）及び第２の逆拡散コード（ＳＥＣ＿ＣＯＤＥ）から生成されるＩ成分用の反転選択信号（ＩＩＮＶ）が入力され、該反転選択信号（ＩＩＮＶ）により上記反転選択部１１の選択出力を切替える。
【０００６】
同様に、逆拡散処理部（Ｑｃｈ）２には、表２に示すように第１の逆拡散コード（ＰＲＩ＿ＣＯＤＥ）及び第２の逆拡散コード（ＳＥＣ＿ＣＯＤＥ）から生成されるＱ成分用の反転選択信号（ＱＩＮＶ）が入力され、該反転選択信号（ＱＩＮＶ）により上記反転選択部２１の選択出力を切替える。
【０００７】
更に、逆拡散処理部（Ｉｃｈ）１及び逆拡散処理部（Ｑｃｈ）２には、図３の下部の表２に示すように第１の逆拡散コード（ＰＲＩ＿ＣＯＤＥ）及び第２の逆拡散コード（ＳＥＣ＿ＣＯＤＥ）から生成されるＩＱ選択信号（ＩＱＳＥＬ）が入力され、該ＩＱ選択信号（ＩＱＳＥＬ）により、前述のＩＱ選択部１２及び２２の選択出力を切替える。
【０００８】
なお、上述の反転選択部１１，２１及びＩＱ選択部１２，２２の各入力端に付した符号“０”及び“１”は、各選択制御信号として入力される反転選択信号（ＩＩＮＶ，ＱＩＮＶ）及びＩＱ選択信号（ＩＱＳＥＬ）の論理値に応じて、該論理値が“０”のときは“０”側の入力端の信号を、該論理値が“１”のときは“１”側の入力端の信号を選択して出力することを意味している。
【０００９】
また、上述の第１の逆拡散コード（ＰＲＩ＿ＣＯＤＥ）と第２の逆拡散コード（ＳＥＣ＿ＣＯＤＥ）は、例えば、セクタ又は端末対応のスクランブリングコードと物理チャネル対応のチャネライゼイションコード等のように、それぞれ種別の異なる逆拡散コードである。
【００１０】
図４に従来のコード分割多重データ信号を逆拡散処理する第２の構成例を示す。この構成例は、図３に示した第１の構成例と同様に、逆拡散処理部（Ｉｃｈ）１及び逆拡散処理部（Ｑｃｈ）２に、図４下部の表２（図３下部の表２のと同内容）に示すように、第１の逆拡散コード（ＰＲＩ＿ＣＯＤＥ）及び第２の逆拡散コード（ＳＥＣ＿ＣＯＤＥ）から生成される反転選択信号（ＩＩＮＶ，ＱＩＮＶ）及びＩＱ選択信号（ＩＱＳＥＬ）が入力され、逆拡散部（Ｉｃｈ）１及び逆拡散処理部（Ｑｃｈ）２は、第１の構成例と同様に、Ｉ成分及びＱ成分の逆拡散結果（ＤＥＳＰＩ）及び（ＤＥＳＰＱ）をそれぞれ出力する。
【００１１】
ただし、第２の構成例では、Ｉ成分及びＱ成分の逆拡散結果（ＤＥＳＰＩ）及び（ＤＥＳＰＱ）をＩＱ多重部５に入力し、該ＩＱ多重部５によりＩ成分及びＱ成分の逆拡散結果（ＤＥＳＰＩ）及び（ＤＥＳＰＱ）を多重化した逆拡散結果（ＤＥＳＰ）を生成し、該逆拡散結果（ＤＥＳＰ）を、Ｉ成分及びＱ成分に共通の加算器等の後段処理部６に入力し、該後段処理部６では、２倍レートのクロック信号でＩ成分及びＱ成分の後段処理を行う構成としている。
【００１２】
図５に従来のコード分割多重データ信号を逆拡散処理する第１及び第２の構成例によるＩ成分及びＱ成分の逆拡散結果（ＤＥＳＰＩ）及び（ＤＥＳＰＱ）、並びにそれらを多重化した逆拡散結果（ＤＥＳＰ）の生成タイミングチャートを示す。同図において、ＰＲＩ＿ＣＯＤＥ及びＳＥＣ＿ＣＯＤＥはそれぞれ第１及び第２の逆拡散コード、ＩＤＡＴＡ［３：０］及びＱＤＡＴＡ［３：０］はコード分割多重データ信号のＩ成分及びＱ成分、ＩＩＮＶ，ＱＩＮＶ及びＩＱＳＥＬは上述した逆拡散処理用制御信号、ＤＥＳＰＩ［３：０］及びＤＥＳＰＱ［３：０］は逆拡散結果のＩ成分及びＱ成分、ＤＥＳＰ［３：０］はＩ成分及びＱ成分の多重逆拡散結果である。
【００１３】
本発明に関連する先行技術文献として、下記の特許文献１には、ＢＰＳＫ変調のベースバンド信号の同相成分及び直交成分をチップレートの整数倍のサンプリング周波数でディジタル信号に変換して１サンプル毎に切替えて多重化し、多重化した信号を相関検出して自乗検波して得た包絡線振幅の２乗波形から同期情報を検出することにより、小型化・低消費電力化を図ったＣＤＭＡ同期回路が開示されている。
【特許文献１】特開平１１−１２７１３３号公報
【発明の開示】
【発明が解決しようとする課題】
【００１４】
前述した従来のコード分割多重データ信号を逆拡散処理する第１の構成例では、逆拡散処理部及び後段処理部を、Ｉ成分用及びＱ成分用にそれぞれ２組備えなければならず、それによって回路規模が増大してしまうという問題があった。
【００１５】
また、従来のコード分割多重データ信号を逆拡散処理する第２の構成例では、後段処理部がＩ成分用及びＱ成分用で共用化することができるため、後段処理部の回路規模を縮小することはできるが、Ｉ成分及びＱ成分の各逆拡散結果（ＤＥＳＰＩ）及び（ＤＥＳＰＱ）を多重化する多重回路が新たに必要となるため、それによって回路規模が増加してしまうという問題があった。
【００１６】
本発明は、コード分割多重データ信号の逆拡散回路の構成を簡素化すると共に、Ｉ成分及びＱ成分を多重化する処理回路を別途設けることなく、Ｉ成分及びＱ成分を多重化した逆拡散結果が得られる逆拡散回路を提供し、コード分割多重データ信号受信部の回路規模の低減を図ることを目的とする。
【課題を解決するための手段】
【００１７】
本発明の逆拡散及び同相・直交成分多重処理装置は、コード分割多重データ信号の同相成分及び直交成分を入力し、その何れか一方を選択して出力する同相・直交成分選択部１０１と、同相・直交成分選択部１０１の出力信号又はその出力信号を反転して１を加算した信号の何れか一方を選択して出力する反転選択部１０２と、第１の逆拡散コード及び第２の逆拡散コード並びに該逆拡散コードの２倍のレートで論理値が交互に反転する交互反転信号から、同相・直交成分選択制御信号及び反転選択制御信号を生成する手段（図１の表１参照）とを備え、前記同相・直交成分選択部１０１の選択出力を前記同相・直交成分選択制御信号により切替え、前記反転選択部１０２の選択出力を前記反転選択制御信号により切替えることを特徴とする。
【００１８】
また、本発明の逆拡散及び同相・直交成分多重処理方法は、第１の逆拡散コード及び第２の逆拡散コード並びに該逆拡散コードの２倍のレートで論理値が交互に反転する交互反転信号から、同相・直交成分選択制御信号及び反転選択制御信号を、図１の表１に示すように生成する過程と、コード分割多重データ信号の同相成分及び直交成分を入力し、その何れか一方を選択して出力する同相・直交成分選択部１０１に、前記同相・直交成分選択制御信号を加えて選択出力を切り替え、前記同相・直交成分選択部の出力信号又はその出力信号を反転して１を加算した信号の何れか一方を選択して出力する反転選択部１０２に、前記反転選択制御信号を加えて選択出力を切替えることを特徴とする。
【発明の効果】
【００１９】
本発明によれば、ＣＤＭＡ方式を用いる移動通信システムにおける逆拡散処理と後段のＩ／Ｑ成分の信号処理に対して、第１及び第２の逆拡散コード（ＰＲＩ＿ＣＯＤＥ，ＳＥＣ＿ＣＯＤＥ）と、その２倍レートのクロック信号で交互に論理値が反転する信号から、Ｉ／Ｑ成分の選択制御信号及び反転信号の選択制御信号を生成し、それらの信号を用いて逆拡散を行うことにより、Ｉ／Ｑ成分が多重化された逆拡散結果を得ることができる。
【００２０】
これにより、従来の第１の構成例と比較して、逆拡散処理部と後段回路の規模を半減化することができる。また従来の第２の構成例と比較しても、逆拡散処理部が２分の１の回路規模で実現することができ、かつＩ／Ｑ成分の多重化回路が不要であることから、その分、回路規模を削減することができ、Ｉ／Ｑ成分の多重化によりＩ／Ｑ成分に対して共通回路が使用可能となり、大幅な回路規模低減を図ることができる。
【発明を実施するための最良の形態】
【００２１】
図１にコード分割多重データ信号の逆拡散処理及びＩＱ成分の多重処理を行う本発明の機能ブロックを示す。同図において、１０はＩ成分及びＱ成分を有するコード分割多重データ信号の逆拡散処理と、そのＩ成分及びＱ成分の逆拡散結果の多重化信号を出力する逆拡散及びＩＱ多重部である。
【００２２】
また、６は加算器等を含む後段処理部であり、多重化されたＩ成分及びＱ成分の逆拡散結果を入力し、Ｉ成分及びＱ成分の各逆拡散結果に対して、２倍レートのクロック信号で後段処理を行う機能部である。なお、該後段処理部６はＩ成分及びＱ成分に対して共通に使用され、図４に示した従来の第２の構成例における後段処理部６と同様のものである。
【００２３】
逆拡散及びＩＱ成分多重部１０は、Ｉ成分のコード分割多重データ信号（ＩＤＡＴＡ）及びＱ成分のコード分割多重データ信号（ＱＤＡＴＡ）を入力し、その何れか一方を選択して出力するＩＱ選択部１０１と、該ＩＱ選択部１０１の出力信号と、その出力信号を反転して１を加算した信号との何れか一方を選択して出力する反転選択部１０２とを備える。
【００２４】
上記ＩＱ選択部１０１及び反転選択部１０２への選択制御信号として、図１の下部の表１に示すように、第１及び第２の逆拡散コード（ＰＲＩ＿ＣＯＤＥ，ＳＥＣ＿ＣＯＤＥ）、並びに２倍レートのクロック信号により“０”（ｌｏｗ）と“１”（ｈｉｇｈ）とが交互に入れ替わる論理パターン信号（ＩＱＭＵＸ）から、ＩＱ選択信号（ＩＱＳＥＬ）及び反転選択信号（ＩＮＶＳＥＬ）の２種の制御信号を生成し、該ＩＱ選択信号（ＩＱＳＥＬ）をＩＱ選択部１０１の選択制御信号とし、反転選択信号（ＩＮＶＳＥＬ）を反転選択部１０２の選択制御信号として入力する。
【００２５】
図２に本発明の逆拡散及びＩＱ多重部によるＩ成分及びＱ成分の多重化逆拡散結果（ＤＥＳＰ）の生成タイミングチャートを示す。同図において、ＰＲＩ＿ＣＯＤＥ及びＳＥＣ＿ＣＯＤＥは第１及び第２の逆拡散コード、ＩＱＭＵＸは２倍レートのクロック信号により“０”（ｌｏｗ）と“１”（ｈｉｇｈ）とが入れ替わる論理パターン信号、ＩＱＳＥＬはＩＱ選択信号、ＩＮＶＳＥＬは反転選択信号、ＩＤＡＴＡ［３：０］及びＱＤＡＴＡ［３：０］はコード分割多重データ信号のＩ成分及びＱ成分、ＤＥＳＰ［３：０］はＩ成分及びＱ成分の逆拡散結果の多重化信号である。
【００２６】
本発明の逆拡散及びＩＱ多重部１０から出力される逆拡散処理結果（ＤＥＳＰ）は、既にＩ／Ｑ成分が多重化された信号であり、図４に示した従来の第２の構成例により出力される逆拡散処理結果（ＤＥＳＰ）（図５参照）と等価な信号であり、従来の第２の構成例と同様に、後段処理部６も２倍レートのクロック信号によりＩ成分及びＱ成分に対して処理を行う。
【００２７】
従来の構成例と本発明との主要な相違点は、逆拡散処理用制御信号生成論理にある。従来の逆拡散処理用制御信号生成論理を図３及び図４の表２に、本発明におけるＩＱ多重型逆拡散処理用制御信号生成論理を図１の表１に示す。本発明では、逆拡散コード（ＰＲＩ＿ＣＯＤＥ／ＳＥＣ＿ＣＯＤＥ）の他に、２倍レートのクロック信号で“０”と“１”とが交互に反転する信号（ＩＱＭＵＸ）を生成し、表１に示す論理によりＩＱ選択信号（ＩＱＳＥＬ）と反転選択信号（ＩＮＶＳＥＬ）とを生成する。
【００２８】
上記の選択制御信号を、図１に示す逆拡散及びＩＱ成分多重部１０のＩＱ選択部１０１及び反転選択部１０２に加えることにより、単純な回路構成で逆拡散処理並びにＩ成分及びＱ成分の多重処理を行った逆拡散処理結果（ＤＥＳＰ）が得られる。図２及び図５のタイムチャートから、従来の第２の構成例におけるＩＱ成分多重逆拡散処理結果（ＤＥＳＰ）と、本発明の回路構成によるＩＱ多重逆拡散処理結果（ＤＥＳＰ）とは、等価であることが分かる。
【図面の簡単な説明】
【００２９】
【図１】コード分割多重データ信号の逆拡散処理及びＩＱ成分の多重処理を行う本発明の機能ブロックを示す図である。
【図２】本発明のＩ成分及びＱ成分の多重化逆拡散結果（ＤＥＳＰ）の生成タイミングチャートを示す図である。
【図３】コード分割多重データ信号を逆拡散処理する従来の第１の構成例を示す図である。
【図４】従来のコード分割多重データ信号を逆拡散処理する機能ブロックの第２の構成例を示す図である。
【図５】従来のＩ成分及びＱ成分の多重化逆拡散結果（ＤＥＳＰ）の生成タイミングチャートを示す図である。
【符号の説明】
【００３０】
１  Ｉ成分の逆拡散処理部
１１  反転選択部
１２  ＩＱ選択部
２  Ｑ成分の逆拡散処理部
２１  反転選択部
２２  ＩＱ選択部
３  Ｉ成分の後段処理部
４  Ｑ成分の後段処理部
５  ＩＱ多重部
６  後段処理部
１０  逆拡散及びＩＱ多重部
１０１  ＩＱ選択部
１０２  反転選択部
【図１】
0004574567.tif 000002
【図２】
0004574567.tif 000003
【図３】
0004574567.tif 000004
【図４】
0004574567.tif 000005
【図５】
0004574567.tif 000006